(57)【特許請求の範囲】
【請求項１】
使用状態で床面に対して略平行に位置するベース杆及び使用状態で前記床面に対して所定角度傾斜して起立する左右起立部を具備してなる略Ｕ字形状の第１、第２の脚フレームと、座とを少なくとも具備してなり、前記第１、第２の脚フレームが、左右起立部の延出方向を床面に対して所定角度傾斜させて起立する使用状態と、前記第１、第２の脚フレームと座とを略平面的となるように折り畳む折り畳み状態とを取り得る折り畳み椅子において、
少なくとも前記一方の脚フレームの左右起立部の下端部近傍に床面との滑りを防止する滑動防止部を対をなして設け、この滑動防止部が、使用状態において、前記床面に対して略鉛直方向に沿って起立するとともに巾方向に沿って延出する一対の対向する前後起立面を有しており、これら前後起立面の外方端側が、巾方向に対して湾曲しながら所定角度をなすように傾斜した前後湾曲傾斜面と、これら前後湾曲傾斜面同士を繋ぐ外方端面とを備えていることを特徴とする折り畳み椅子。
【請求項２】
使用状態で床面に対して略平行に位置するベース杆及び使用状態で前記床面に対して所定角度傾斜して起立する左右起立部を具備してなる略Ｕ字形状の第１、第２の脚フレームと、座とを少なくとも具備してなり、使用状態と、前記第１、第２の脚フレームと座とを略平面的となるように折り畳む折り畳み状態とを取り得るように構成している折り畳み椅子において、
前記第１、第２の脚フレームの少なくとも何れか一方の脚フレームの左右起立部の下端部近傍に床面との滑りを防止する滑動防止部を対をなして設け、この滑動防止部が、前記脚フレームの延出方向に対して所定角度をなすように延出して設けてあり、巾方向に沿って延出する一対の対向する前後起立面を有しており、これら前後起立面の外方端側が、巾方向に対して湾曲しながら所定角度をなすように傾斜した前後湾曲傾斜面と、これら前後湾曲傾斜面同士を繋ぐ外方端面とを備えていることを特徴とする折り畳み椅子。
【請求項３】
滑動防止部が、使用状態において、その起立方向が略鉛直方向に沿ったものとなるように前記脚フレームに設けてあることを特徴とする請求項２記載の折り畳み椅子。
【請求項４】
滑動防止部が、折り畳み状態で複数の椅子を積み重ねた場合に、折り畳み状態で座と第１、第２の脚フレームが存在する仮想平面において隣接する椅子同士の前記脚フレームの延出方向と略直交する方向への相対移動を禁止する移動禁止部を具備していることを特徴とする請求項１、２又は３記載の折り畳み椅子。
【請求項５】
滑動防止部が、使用状態においてその軸心方向を鉛直方向に略沿って取り付けたビス等の取付具を利用して前記脚フレームに取り付けてあることを特徴とする請求項１、２、３又は４記載の折り畳み椅子。
【発明の詳細な説明】
【０００１】
【発明の属する技術分野】
本発明は、オフィス等で好適に利用される折り畳み椅子に関するものである。
【０００２】
【従来の技術】
この種の折り畳み椅子としては、従来、前後脚フレームと座とを具備してなり、前記前脚フレーム・後脚フレーム・座の相対回転によって使用状態から前記前脚フレームと後脚フレームとが略面一をなす折り畳み状態に折り畳めるように構成されているものがある。前記前後脚フレームは、具体的には、金属製の丸パイプを略Ｕ字形に成形して構成されており、使用状態では、当該前後脚フレームの水平方向に沿って位置するベース杆が床面と略平行な方向に沿って配置されるとともに、左右起立部が、床面に対して所定角度傾斜して起立するものである。
【０００３】
【発明が解決しようとする課題】
このような構成の折り畳み椅子は、非使用時には、略平面的に折り畳んで積み重ねることができるため、折り畳みのできない他の椅子と比べて収納スペースが少なくて済むという利点はあるものの、金属製の丸パイプである前脚フレームや後脚フレームは、積み重ねられた場合に相互に接触していても滑り易く、多数積み重ねると位置ずれが生じて崩れてしまう恐れがある。
【０００４】
ところで、前記前脚フレームや後脚フレームのベース杆には、合成樹脂等により形成された滑動防止部材が取り付けてある場合が少なくないが、これら従来の滑動防止部材は、使用状態での椅子の安定のみを考慮して作られているものであり、ベース杆を包み込んで保持するような円筒体状をなしている。そのため、このような滑動防止部材が取り付けてある場合でも、折り畳んで積み上げた場合には、滑動防止部材の外周面同士が当たるだけであり、積み重ねた際には滑動を防止するようには機能せず、位置ずれや崩壊を招きやすいという問題がある。
【０００５】
さらに、この種の椅子は、使用状態において前後脚フレームの左右起立部が床面に対してそれぞれ所定角度傾斜して起立しており、前記滑動防止部材は、これら左右起立部の延出方向に略沿って設けてある。しかしながら、利用者がこの椅子に着座することによりかかる荷重方向は、鉛直方向に略沿ったものであるため、前記滑動防止部材で椅子にかかる荷重を適正に支持できない恐れや滑動を適正に防止できない恐れがある。
【０００６】
【課題を解決するための手段】
上記の問題点を解決するために、本発明は、使用状態で床面に対して略平行に位置するベース杆及び使用状態で前記床面に対して所定角度傾斜して起立する左右起立部を具備してなる略Ｕ字形状の第１、第２の脚フレームと、座とを少なくとも具備してなり、前記第１、第２の脚フレームの少なくとも何れか一方の脚フレームが、左右起立部の延出方向を床面に対して所定角度傾斜させて起立する使用状態と、前記第１、第２の脚フレームと座とを略平面的となるように折り畳む折り畳み状態とを取り得る折り畳み椅子において、少なくとも前記一方の脚フレームの左右起立部の下端部近傍に床面との滑りを防止する滑動防止部を対をなして設け、この滑動防止部が、使用状態において、前記床面に対して略鉛直方向に沿って起立するとともに巾方向に沿って延出する一対の対向する前後起立面を有しており、これら前後起立面の外方端側が、巾方向に対して湾曲しながら所定角度をなすように傾斜した前後湾曲傾斜面と、これら前後湾曲傾斜面同士を繋ぐ外方端面とを備えている。
【０００７】
このような構成のものであると、使用状態では、前記滑動防止部が、略鉛直方向に沿って起立するため、当該滑動防止部の圧縮方向と椅子にかかる荷重方向が略一致することとなり、安定的な支持状態や床面に対する適正な滑動防止を図ることが可能となる。また、前述したように、その延出方向を床面に対して傾斜させた脚フレームに前記滑動防止部を床面に対して略鉛直方向に起立させて設けているので、結果的に、この滑動防止部は、脚フレームの延出方向に対して所定角度をなして設けてあることになる。そのため、折り畳み状態において、前記滑動防止部は、脚フレームの延出方向に対して所定角度傾斜した状態で位置する、すなわち、前記第１、第２の脚フレームと座とが存在する仮想平面に対して所定角度をなして滑動防止部の延出方向が傾斜することになり、複数の椅子を積み重ねた場合に、当該滑動防止部が、隣接する椅子同士が脚フレームの延出方向に沿って相対移動することを禁止する移動禁止部として機能することになる。したがって、この滑動防止部により、多数の椅子を積み重ねた場合にも、位置ずれが生じることや積み重ね状態が崩壊することを有効に防止することが可能となる。しかも、前述したように滑動防止部が脚フレームに対して所定角度をなして傾斜しているので、係り合い部を設ける等の複雑な加工を施さずとも、隣接する椅子の滑動防止部同士を突き当てるだけで椅子同士の相対移動を有効に禁止することが可能となる。このように、本発明では、滑動防止部の脚フレームに対する設置方向を工夫することにより、簡単な構成で、使用状態での安定支持と、折り畳み状態で積み重ねた場合の位置ずれや崩壊を有効に防止することが可能となる。なお、ここでいうところの所定角度をなす、所定角度傾斜しているとは、滑動防止部が脚フレームの延出方向に対して略平行、すなわち１８０度をなすように設けてある場合は含めないものである。
【０００８】
本発明の他の態様としては、使用状態で床面に対して略平行に位置するベース杆及び使用状態で前記床面に対して所定角度傾斜して起立する左右起立部を具備してなる略Ｕ字形状の第１、第２の脚フレームと、座とを少なくとも具備してなり、使用状態と、前記第１、第２の脚フレームと座とを略平面的となるように折り畳む折り畳み状態とを取り得るように構成している折り畳み椅子において、前記第１、第２の脚フレームの少なくとも何れか一方の脚フレームの左右起立部の下端部近傍に床面との滑りを防止する滑動防止部を対をなして設け、この滑動防止部が、前記脚フレームの延出方向に対して所定角度をなすように延出して設けてあり、巾方向に沿って延出する一対の対向する前後起立面を有しており、これら前後起立面の外方端側が、巾方向に対して湾曲しながら所定角度をなすように傾斜した前後湾曲傾斜面と、これら前後湾曲傾斜面同士を繋ぐ外方端面とを備えているものが挙げられる。なお、ここでいうところの所定角度をなすとは、滑動防止部が脚フレームの延出方向に対して略平行、すなわち１８０度をなすように設けてある場合は含めないものである。このような構成であるならば、折り畳み状態では、前記第１、第２の脚フレームと座とが存在する仮想平面に対して所定角度をなして滑動防止部の延出方向が傾斜することになり、折り畳み状態で複数の椅子を積み重ねた場合に、前記滑動防止部が、隣接する椅子同士が脚フレームの延出方向に沿って相対移動することを禁止する移動禁止部として機能することになる。したがって、多数の椅子を積み重ねた場合にも、位置ずれが生じることや積み重ね状態が崩壊することを有効に防止することが可能となる。しかも、前述したように滑動防止部が脚フレームに対して所定角度をなして傾斜しているので、係り合い部を設ける等の複雑な加工を施さずとも、隣接する椅子の滑動防止部同士を突き当てるだけで椅子同士の相対移動を有効に禁止することが可能となる。
【０００９】
この場合に、使用状態での安定的な支持状態や床面に対する適正な滑動防止を図ることを可能とするには、滑動防止部が、使用状態において、その起立方向が略鉛直方向に沿ったものとなるように前記脚フレームに設けてあることが望ましい。
【００１１】
前記滑動防止部により直交する２方向すなわち椅子の巾方向及び奥行方向への相対移動を禁止するには、滑動防止部が、折り畳み状態で複数の椅子を積み重ねた場合に、折り畳み状態で座と第１、第２の脚フレームが存在する仮想平面において隣接する椅子同士の前記脚フレームの延出方向と略直交する方向への相対移動を禁止する移動禁止部を具備していることが望ましい。
【００１２】
使用状態でビス等の取付具に無理な荷重がかかることを有効に防止するには、滑動防止部が、使用状態においてその軸心方向を鉛直方向に略沿って取り付けたビス等の取付具を利用して前記脚フレームに取り付けてあることが望ましい。
【００１３】
【発明の実施の形態】
以下、本発明の一実施の形態について図面を参照して説明する。
【００１４】
本実施の形態の折り畳み椅子１は、図１に示すように、座４の後端部側を第一軸ｐを介して正逆方向に回転可能に支持する第１の脚フレームたる前脚フレーム２と、前記前脚フレーム２の内側に第三軸ｒを介して回転可能に取り付けてなるとともに座４の前端部側を第二軸ｑを介して正逆方向に回転可能に支持する第２の脚フレームたる後脚フレーム３とを具備してなるもの、すなわち、前脚フレーム２・後脚フレーム３・座４とを第一軸ｐ・第二軸ｑ・第三軸ｒを介してそれぞれ正逆方向に回転可能に連結したもので、図２中実線に示す座４が略水平状態となる使用状態Ｐから、前脚フレーム２の内側面と後脚フレーム３の外側面とが対向する位置で前脚フレーム２と後脚フレーム３とが略平面的に折り畳まれる図２中想像線に示す折り畳み状態Ｑに折り畳めるよう構成したものである。なお、この折り畳み椅子１は、折り畳み状態Ｑでは、図３に示すように、他の同一形状の折り畳み椅子１とともに、前面側を下として上下方向に積み上げることができるものである。
【００１５】
前脚フレーム２は、スチール製の丸パイプ部材を略Ｕ字形状に折り曲げ成形したもので、上端部に背もたれ６を有している。この前脚フレーム２は、具体的には、使用状態Ｐで床面Ｆに対して略平行に位置するベース杆２１と、使用状態Ｐで前記床面Ｆに対して所定角度傾斜して起立する左右起立部２２とを具備してなる。
【００１６】
後脚フレーム３は、前記前脚フレーム２と同様に、スチール製の丸パイプ部材を略Ｕ字形状に折り曲げ成形したもので、前記前脚フレーム２の内側に側面視Ｘ字形状となるように交差させて第三軸ｒを介して前記前脚フレーム２に対して相対的に回転可能となるように連結している。この後脚フレーム３も前記前脚フレーム２と同様に、使用状態Ｐで床面Ｆに対して略平行に位置するベース杆３１と、
使用状態Ｐで前記床面Ｆに対して所定角度傾斜して起立する左右起立部３２とを具備してなる。なお、本実施の形態では、前脚フレーム２に対して後脚フレーム３を回転可能に支持する前記第三軸ｒを具備する回転支持体５を前記後脚フレーム３の外側にスライド移動可能に取り付けることにより、使用状態Ｐと折り畳み状態Ｑとの間で座４、前後脚フレーム２、３を回転させる場合に生じる後脚フレーム３と座４の回転中心と前脚フレーム２と後脚フレーム３の回転中心との間の離間距離の変位を吸収するようにしている。そして、折り畳み状態Ｑでは、図３に示すように、前脚フレーム２の内側に後脚フレーム３が収容されて折り畳まれることになる。
【００１７】
座４は、図１に示すように、中央に開口を有してなる平面視略ロ字形状の座枠部４１と、この座枠部４１の開口内に張った状態で取り付けてなるネット状の張地４２とを具備してなるものであり、この張地４２の張力を利用してクッション性を確保するようにしている。
【００１８】
このような構成のものにおいて、本実施の形態では、前記前後脚フレーム２、３のベース杆２１、３１に、床面Ｆに対する滑動を防止するための滑動防止部たる滑動防止部材７、８を取り付けるようにしている。そして、特に、前脚フレーム２のベース杆２１に取り付けた滑動防止部材７が、図２に示すように、使用状態Ｐにおいて、前記床面Ｆに対して略鉛直方向に沿って起立するとともに、図３に示すように、折り畳み状態Ｑにおいて、前記前脚フレーム２の左右起立部２２の延出方向ｂに対して所定角度傾斜して位置し、複数の椅子１を積み重ねた際に、隣接する椅子１同士の脚フレーム２の延出方向ｂすなわち奥行方向に対する相対移動を禁止するように構成されている。
【００１９】
なお、後脚フレーム３のベース杆３１に取り付けた滑動防止部材８は、使用状態Ｐにおいて、前記後脚フレーム３の左右起立部３２の延出方向に略沿って設けた略円筒体状のものであり、周知の滑動防止部材と略同様の構成を有するものであるため、詳しい説明を省略する。
【００２０】
以下、滑動防止部材７について詳述する。
【００２１】
滑動防止部材７は、図４〜図７に示すように、合成樹脂製のもので、前記前脚フレーム２のベース杆２１の巾方向に沿って対をなして取り付けてある。前述したように、この滑動防止部材７は、図２及び図５に示す使用状態Ｐにおいて、前記床面Ｆに対して略鉛直方向に沿って起立するとともに、図３及び図６に示す折り畳み状態Ｑにおいて、前記前脚フレーム２の左右起立部２２の延出方向ｂに対して所定角度傾斜して位置するものである。すなわち、この滑動防止部材７は、図５及び図６に示すように、その圧縮方向ａが前記前脚フレーム２の延出方向ｂに対して所定角度をなすように設けてある。ここでいう圧縮方向ａとは、椅子１に荷重がかかった場合に前記滑動防止部材７に働く圧縮荷重方向であり、具体的には、図５に示すように、使用状態Ｐで床面Ｆに接地する床面接地面７１と、前脚フレーム２のベース杆２１への取付面７２とを結ぶ鉛直方向に略沿う方向である。また、延出方向ｂとは、前脚フレーム２の左右起立部２２の少なくとも前記滑動防止部材７を取り付けている下端部近傍における軸心方向を差すものである。
【００２２】
この滑動防止部材７は、具体的には、前記床面接地面７１と、使用状態Ｐにおいて前記床面Ｆに対して略鉛直方向に沿って起立するとともに巾方向に沿って延出する一対の対向する前後起立面７３、７４と、前記前脚フレーム２のベース杆２１の外周面に略沿った前記取付面７２を有し前記ベース杆２１に嵌合する嵌合凹部７５と、ビス等の取付具Ｂを挿入するための挿入孔７６とを具備してなる略直方体状のものである。前起立面７３は、前記ベース杆２１の前側に位置するものであるが、座４を前方に押す力が加わった場合に、ベース杆２１が前方へ滑動することを有効に防止すべく、後側に位置する後起立面７４よりも若干上下寸法が大きいものとなっている。また、これら前後起立面７３、７４は、折り畳み状態Ｑで複数の椅子１を積み重ねた場合に、隣接する椅子１同士が前脚フレーム２の延出方向ｂすなわち奥行方向への移動を禁止する移動禁止面となるものである。さらに、これら前後起立面７３、７４は、その外方端側が椅子１の巾方向に対して湾曲しながら所定角度をなすように傾斜した前後湾曲傾斜面７３ａ、７４ａとなっており、図７に示すように、この湾曲傾斜面７３ａ、７４ａを折り畳み状態Ｑで複数の椅子１を積み重ねた場合に、隣接する椅子１同士の巾方向への移動を禁止する移動禁止部７７としている。また、この滑動防止部材７は、前述したように、前記挿入孔７６を介して挿入したビス等の取付具Ｂを利用して前記前脚フレーム２のベース杆２１に取り付けられるが、前記取付具Ｂは、使用状態Ｐにおいてその軸心方向を鉛直方向に略沿った状態で前記挿入孔７６に挿入されて前記ベース杆２１に取り付けられる。具体的には、この滑動防止部材７は、その取付面７２を前記ベース杆２１の外周面に密着させて接着剤を利用して仮止めされた後、前記取付具Ｂを利用して固定される。
【００２３】
このような構成において、この折り畳み椅子１を使用する際には、折り畳まれていた座４を前下方に向かって押し広げると、図１及び図２中実線で示すように、前脚フレーム２と後脚フレーム３とが前後方向に大きく開いて座４を略水平状態で保持する使用状態Ｐとなる。この使用状態Ｐでは、前記滑動防止部材７は、その床面接地面７１が床面Ｆと接触するとともにその圧縮方向ａを鉛直方向と略一致させて位置しており、利用者が座４に着座した場合に、前脚フレーム２のベース杆２１が滑動するのを防止する。一方、保管するために前記折り畳み椅子１を折り畳み状態Ｑへと折り畳むと、図３及び図６に示すように、前後脚フレーム２、３と座４とが同一仮想平面内に位置することになるとともに、前記滑動防止部材７は、前後脚フレーム２、３と座４とが属する仮想平面に対してその圧縮方向ａを所定角度傾斜した状態で位置することになる。したがって、図３及び図６に示すように、折り畳み状態Ｑで複数の椅子１を積み重ねると、下側の折り畳み椅子１の滑動防止部材７の後起立面７４が上側の折り畳み椅子１の滑動防止部材７の前起立面７３に突き当たり、前脚フレーム２の延出方向ｂすなわち奥行方向のうち隣接する他方の折り畳み椅子１の滑動防止部材７側への移動を禁止されることになる。また、本実施の形態では、上下に隣接する椅子１の背もたれ６の一部が突き当ることにより、この背もたれ６においても上下に隣接する椅子１同士の奥行方向への相対移動を禁止するようにしている。また、図７に示すように、折り畳み状態Ｑで複数の椅子１を積み重ねた場合には、下側の折り畳み椅子１の滑動防止部材７の後湾曲傾斜面７４ａと上側の折り畳み椅子１の滑動防止部材７の前湾曲傾斜面７３ａとが突き当って、これら上下に隣接する椅子１同士の巾方向への相対移動を禁止する。そして、順次同じようにして多数の椅子が積み重ねられると、積み重ねられるに従って重量が加算されるため下側のものほど大きな荷重でそれぞれの滑動防止部材７が係り合っており、容易にスタッキングが崩壊することを防止することが可能である。
【００２４】
このような構成のものであると、使用状態Ｐでは、前記滑動防止部材７が、略鉛直方向に沿って起立するため、当該滑動防止部材７の圧縮方向ａと椅子１にかかる荷重方向が略一致することとなり、安定的な支持状態や床面Ｆに対する適正な滑動防止を図ることが可能となる。また、前述したように、その延出方向ｂを床面Ｆに対して傾斜させた前脚フレーム２に前記滑動防止部材７を床面Ｆに対して略鉛直方向に起立させて設けているので、結果的に、この滑動防止部材７は、前脚フレーム２の延出方向ｂに対して所定角度をなして傾斜して設けてあることになる。そのため、折り畳み状態Ｑにおいて、前記滑動防止部材７は、前脚フレーム２の延出方向ｂに対して所定角度傾斜した状態で位置する、すなわち、前記前後脚フレーム２、３と座４とが存在する仮想平面に対して滑動防止部材７の圧縮方向ａが所定角度をなして傾斜しており、複数の椅子１を積み重ねた場合に、当該滑動防止部材７が、隣接する椅子１同士が前脚フレーム２の延出方向ｂ、すなわち奥行方向に沿って相対移動することを禁止する移動禁止部として機能することになる。したがって、この滑動防止部材７により、多数の椅子１を積み重ねた場合にも、位置ずれが生じることや積み重ね状態が崩壊することを有効に防止することが可能となる。このように、本発明では、滑動防止部材７の前脚フレーム２に対する設置方向を工夫することにより、簡単な構成で、使用状態Ｐでの安定支持と、折り畳み状態Ｑで積み重ねた場合の位置ずれや崩壊を有効に防止することが可能となる。なお、本実施の形態では、前脚フレーム２だけに本発明の構成を有する滑動防止部材７を設けているが、少なくとも折り畳み状態Ｑで外側に位置する前脚フレーム２に滑動防止部材７を取り付けているので、積み重ね作業を行う際の位置決め作業等が行い易いものである。
【００２５】
滑動防止部材７が、使用状態Ｐにおいて、床面Fに対して略鉛直方向に沿って起立する一対の対向する前後起立面７３、７４を有してなるので、折り畳み状態Ｑでは、略平面的に折り畳まれた前記前後脚フレーム２、３と座４によって形成される仮想平面に対して、前記前後起立面７３、７４が、所定角度傾斜した状態で位置することになるため、折り畳み状態Ｑで複数の椅子１を積み重ねた場合に、係り合い部を設ける等の複雑な加工を施すことなく、隣接する椅子１の前記起立面７３，７４同士を突き当てることにより椅子１同士が奥行方向に略沿って相対移動することを有効に禁止することが可能となる。
【００２６】
滑動防止部材７が、折り畳み状態Ｑで複数の椅子１を積み重ねた場合に、巾方向への相対移動を禁止する移動禁止部７７を具備しているので、前記滑動防止部材７により椅子１の巾方向及び奥行方向の両方向への相対移動を禁止し、多数の椅子を積み重ねた場合にも、位置ずれが生じることや積み重ね状態が崩壊することを有効に防止することが可能となる。
【００２７】
滑動防止部材７が、使用状態Ｐにおいてその軸心方向を鉛直方向に略沿って取り付けたビス等の取付具Ｂを利用して前記前脚フレーム２に取り付けてあるので、取付具Ｂの軸心方向と荷重方向とを略一致させることにより、使用状態Pでビス等の取付具Ｂに無理な荷重がかかることを有効に防止することが可能となる。
【００２８】
なお、本発明における構成は、以上説明したものに限定されないのは勿論である。例えば、前記滑動防止部材を取り付ける脚フレームは、前脚フレームに限定されず、後脚フレーム或いは前後脚フレームに取り付けるようにしてもよい。その他の構成も本発明の趣旨を逸脱しない範囲で種々変形が可能である。
【００２９】
【発明の効果】
本発明は、以上説明したような構成で実施され以下に記載されるような効果を奏する。
【００３０】
すなわち、本発明は、使用状態において床面に対して所定角度傾斜して起立する脚フレームに、床面との滑りを防止する滑動防止部を設け、この滑動防止部が、使用状態において、前記床面に対して略鉛直方向に沿って起立するように構成しているとともに巾方向に沿って延出する一対の対向する前後起立面を有しており、これら前後起立面の外方端側が、巾方向に対して湾曲しながら所定角度をなすように傾斜した前後湾曲傾斜面と、これら前後湾曲傾斜面同士を繋ぐ外方端面とを備えているので、滑動防止部の脚フレームに対する設置方向を工夫するという簡単な方法で、使用状態での安定支持と、折り畳み状態で積み重ねた場合の位置ずれや崩壊の防止とを両立させることが可能となる。
【００３１】
また、使用状態で床面に対して略平行に位置するベース杆及び使用状態で前記床面に対して所定角度傾斜して起立する左右起立部を具備してなる略Ｕ字形状の第１、第２の脚フレームと、座とを少なくとも具備してなり、使用状態と、前記第１、第２の脚フレームと座とを略平面的となるように折り畳む折り畳み状態とを取り得るように構成している折り畳み椅子において、前記第１、第２の脚フレームの少なくとも何れか一方の脚フレームの左右起立部の下端部近傍に床面との滑りを防止する滑動防止部を対をなして設け、この滑動防止部が、前記脚フレームの延出方向に対して所定角度をなすように延出して設けてあり、巾方向に沿って延出する一対の対向する前後起立面を有しており、これら前後起立面の外方端側が、巾方向に対して湾曲しながら所定角度をなすように傾斜した前後湾曲傾斜面と、これら前後湾曲傾斜面同士を繋ぐ外方端面とを備えているならば、前記滑動防止部が、隣接する椅子同士が脚フレームの延出方向に沿って相対移動することを禁止する移動禁止部として機能することになり、多数の椅子を積み重ねた場合にも、位置ずれが生じることや積み重ね状態が崩壊することを有効に防止することが可能となる。
【００３２】
滑動防止部が、使用状態において、その起立方向が略鉛直方向に沿ったものとなるように前記脚フレームに設けてあるならば、当該滑動防止部の圧縮方向と椅子にかかる荷重方向が略一致することとなり、安定的な支持状態や床面に対する適正な滑動防止を図ることが可能となる。
【００３４】
滑動防止部が、折り畳み状態で複数の椅子を積み重ねた場合に、折り畳み状態で座と第１、第２の脚フレームが存在する仮想平面において隣接する椅子同士の前記脚フレームの延出方向と略直交する方向への相対移動を禁止する移動禁止部を具備しているならば、前記滑動防止部により直交する２方向すなわち椅子の巾方向及び奥行方向の両方向への相対移動を禁止し、多数の椅子を積み重ねた場合にも、位置ずれが生じることや積み重ね状態が崩壊することを有効に防止することが可能となる。
【００３５】
滑動防止部が、使用状態においてその軸心方向を鉛直方向に略沿って取り付けたビス等の取付具を利用して前記脚フレームに取り付けてあるならば、取付具の軸心方向と荷重方向とを略一致させることにより、使用状態でビス等の取付具に無理な荷重がかかることを有効に防止することが可能となる。
【図面の簡単な説明】
【図１】本発明の一実施の形態を示す全体斜視図。
【図２】同椅子の使用状態及び折り畳み状態を示す側面図。
【図３】同折り畳み状態で複数の椅子を積み上げた状態を示す側面図。
【図４】同滑動防止部材を示す斜視図。
【図５】同使用状態におけるベース杆及び滑動防止部材の一部を破断して示す側断面図。
【図６】同折り畳み状態で複数の椅子を積み重ねた際のベース杆及び滑動防止部材を示す側面図。
【図７】同折り畳み状態で複数の椅子を積み重ねた際のベース杆及び滑動防止部材を示す背面図。
【符号の説明】
１…折り畳み椅子
２…第１の脚フレーム（前脚フレーム）
３…第２の脚フレーム（後脚フレーム）
４…座
７…滑動防止部（滑動防止部材）
７３…起立面（前起立面）
７４…起立面（後起立面）
７７…移動禁止部
ａ…圧縮方向
ｂ…延出方向
Ｂ…取付具
Ｆ…床面
Ｐ…使用状態
Ｑ…折り畳み状態
【図１】
0004785239.tif 000002
【図２】
0004785239.tif 000003
【図３】
0004785239.tif 000004
【図４】
0004785239.tif 000005
【図５】
0004785239.tif 000006
【図６】
0004785239.tif 000007
【図７】
0004785239.tif 000008